(57)【特許請求の範囲】
【請求項１】
既設鉄筋コンクリート構造物における上下の梁またはスラブ間に、横方向に所定間隔をおいて形鋼のごときフランジとウェブからなる複数のリブ材を縦設し、各リブ材の間に、少なくとも対向する二辺にフランジを有する耐震補強鋼板を、前記対向する二辺のフランジを水平にして、多段に固定すると共に、当該耐震補強鋼板の両側部を前記リブ材に結合したことを特徴とする耐震補強鋼板を用いた耐震補強構造。
【請求項２】
前記各耐震補強鋼板は溝鋼からなり、耐震補強鋼板同士をそのフランジ部を対向させて上下に突合わせ、フランジ間を貫通するボルトナットを用いて互いに連結したことを特徴とする請求項１に記載の耐震補強鋼板を用いた耐震補強構造。
【請求項３】
前記リブ材がＴ形鋼であることを特徴とする請求項１または２に記載の耐震補強鋼板を用いた耐震補強構造。
【請求項４】
請求項１〜３の何れかに記載の耐震補強鋼板を用いた耐震補強構造を構築するにあたっての前記耐震補強鋼板の取付方法であって、
前記耐震補強鋼板の上部を梁の下部の側面にアンカーするとともに、鋼板の下端に位置する床スラブを穿孔し、この孔に通したボルトにより、鋼板の下端と、下階の梁の上部の側面にアンカーされた補強鋼材とをボルト締めすることを特徴とする耐震補強鋼板の取付方法。
【請求項５】
既設鉄筋コンクリート構造物における上下の梁またはスラブ間に、横方向に所定間隔をおいて形鋼のごときフランジとウェブからなる複数のリブ材を縦設し、各リブ材の間に、少なくとも対向する二辺にフランジを有する耐震補強鋼板を、前記対向する二辺のフランジを水平にして積み上げて多段に固定すると共に、当該耐震補強鋼板の両側部を前記リブ材に結合することを特徴とする耐震補強鋼板を用いた耐震補強方法。
【発明の詳細な説明】
【０００１】
【発明の属する技術分野】
本発明は、耐震補強鋼板を用いた耐震補強構造及びその取付け方法に関する。
【０００２】
【従来の技術】
鉄筋コンクリート構造物の耐震補強手段の一つに、例えば特開平９−１５８４９０号公報、及び特公昭５７−１２８３３号公報に示すように、既設コンクリート壁面に耐震補強鋼板を取付ける技術が開示されている。図６は、これらの公報に開示された従来の補強鋼板の取付構造を示すもので、梁１の下部において、既設壁面２の一面に亘って補強鋼板３を複数のアンカー４を介して固定している。
【０００３】
また、この耐震補強鋼板３の耐震効果を上げるためには、その上下端部を後施工によりアンカー５することが必要であり、従って、通常では、補強鋼板の設置位置を梁１の幅内に設定し、梁１の下部から、下階の梁１上のスラブ６まで補強鋼板３を配置している。
【０００４】
【発明が解決しようとする課題】
しかしながら、このような従来の耐震補強鋼板を用いた耐震補強構造にあっては、次のような技術的課題があった。第一の課題は、補強鋼板３自体を少なくとも壁面の一辺の長さに相当する辺長を有する大きさのパネルとしていたため、小運搬、取付作業にも動力機械を要するなど作業に制約を伴うことである。
【０００５】
また、第二の課題は、梁に対して壁が偏心して設けられている場合などにおいて、事情により補強鋼板を梁側面に設置しなければならない場合も生ずるが、この場合には、補強鋼板３の下端が無梁である床スラブ位置となり、施工後のアンカー支持力が不十分となり、同じく耐震性能低下の原因となるおそれがあることである。
【０００６】
本発明は、以上の課題を解決するものであって、その目的は、補強鋼板及びその取付構造を十分な剛性を保てる形状とすること、及びその配置位置が梁の面外であっても支持強度が高い取付方法を提供するものである。
【０００７】
【課題を解決するための手段】
以上の目的を達成するため、本発明は、既設鉄筋コンクリート構造物における上下の梁またはスラブ間に、横方向に所定間隔をおいて形鋼のごときフランジとウェブからなる複数のリブ材を縦設し、各リブ材の間に、少なくとも対向する二辺にフランジを有する耐震補強鋼板を、前記対向する二辺のフランジを水平にして、多段に固定すると共に、当該耐震補強鋼板の両側部を前記リブ材に結合したことを特徴とするものである。したがって、本発明の耐震構造では、リブ材のウェブと耐震補強鋼板のフランジとが、格子状のスチフナーとして働くので、耐震補強構造の座屈を防止する。また、各部材は、作業員の持ち運びに適当なサイズおよび重量になるため、小運搬が容易である。さらに、組立にあたっては、縦設したリブ材間に耐震補強鋼板を積み上げるかたちで行うことができるほか、多段に配置される耐震補強鋼板相互間の固定を、相互のフランジ部を接合するボルトにより行うことができるため、作業は小回りとなり、耐震補強対象建物内での執務・居住の妨げを極力抑えた施工が可能である。
【０００８】
この発明において、前記各耐震補強鋼板は溝鋼からなり、耐震補強鋼板同士をそのフランジ部を対向させて上下に突合わせ、フランジ間を貫通するボルトナットを用いて互いに連結した構成とすることで、耐震補強鋼板が溝形鋼であるため、フランジを溶接する加工手間を省くことができる。
【０００９】
また、上記発明において、前記リブ材がＴ形鋼である構成とすれば、リブ材がＴ形鋼であるので、ウェブの一端にはフランジがなく、耐震補強鋼板の取付けの際に障害がなく、作業が容易である。
【００１０】
本発明の耐震補強鋼板の取付方法は、上記の耐震補強鋼板を用いた耐震補強構造を構築するにあたって、耐震補強鋼板の上部を梁の下部の側面にアンカーするとともに、鋼板の下端に位置する床スラブを穿孔し、この孔に通したボルトにより、鋼板の下端と、下階の梁の上部の側面にアンカーされた補強鋼材とをボルト締めすることを特徴とするものである。この発明方法によれば、耐震補強鋼板の上端を梁の下部側面までの高さに留めることにより、耐震補強鋼板の面積を少なくすることができるので、資材が節約され、運搬、取付け作業が容易である。
【００１１】
【発明の実施の形態】
以下、本発明の好ましい実施の形態につき、添付図面を参照して詳細に説明する。図１，２は本発明の第一実施形態を示す。なお、従来と同一箇所には同一符号を付し、新たに説明を加え、あるいは新規部分にのみ新たな符号を用いて説明する。
【００１２】
同図において、既設コンクリート壁面２は、梁１及び柱７に対してその一面が同一面に形成されており、補強鋼板１０はその面一側に多段に配置される。この補強鋼板１０の取付に先立ち、壁面２には断面Ｔ字形をなすＣＴ（カットティー）材からなるリブ材１２が例えばケミカルアンカー１４により横方向に所定間隔をおいて縦設状態に取付けられ、このリブ材１２のフランジ１２ａに補強鋼板１０の両側部が溶接により多段に固定される。
【００１３】
各補強鋼板１０は溝形鋼から構成され、その上下フランジ１０ａ同士を突合わせた状態で縦配列され、両フランジ１０ａ間を貫通してボルトナット１６により連結することで互いに連結される。
【００１４】
スラブ６上に設置された最下部の補強鋼板１０のフランジ１０ａには長尺ボルト１８が挿通され、この長尺ボルト１８はスラブ６を貫通して、その下階の壁面に固定された受け部材２０に連結される。この受け部材２０は、前記補強鋼板１０よりやや幅狭な溝形鋼からなるものであって、壁面２の最上位置に複数のケミカルアンカー１４を介して固定され、その上部フランジ２０ａを貫通する長尺ボルト１８の先端にナットを介して連結するようにしている。
【００１５】
従って、各補強鋼板１０の取付状態では、リブ材１２のウェブ１２ｂ、及び各補強鋼板１０のフランジ１０ａによって平板状でなく立体的形状に組上がり、これらウェブ１２ｂ及びフランジ１０ａにより剛性が付与されるため、挫屈強度が向上し、より大きな耐震性を得られることになる。また、最下部の補強鋼板はスラブ下に固定された受け部材２０に連結しているため、補強鋼板を受ける床スラブの下に梁が位置しなくても、十分な支持力を得ることが出来る。
【００１６】
図２は、本発明の第二実施形態を示す。本実施形態では、各補強鋼板１０がその階の壁面２の上部から下部まで全面に亘り配置され、また当該階の最下部の補強鋼板１０とその下階の最上部の補強鋼板１０同士がスラブ６を貫通する長尺ボルトによって連結されているほかは第一実施形態と同一である。
【００１７】
本実施形態では、その壁面２全体に補強鋼板が取付けられているため、さらに耐震性が増す。また各補強鋼板同士は各階を通じても互いに連結されているため、支持強度も高いものとなる。
【００１８】
図４，５は本発明の第三実施形態を示すものである（なお、図４の上面図は補強鋼板を両側に設けた場合を示し、側面図は補強鋼板を片側のみに設けた場合を示す）。本実施形態では、既設鉄筋コンクリート壁のない部分に新たに多数の耐震補強鋼板３０を用いて耐震壁を構築する場合を示している。まず、梁１に沿って横方向に所定間隔でリブ材１２を縦列する。リブ材１２は各階のスラブ６を縦通させて配置する。
【００１９】
その後、リブ材１２のフランジ１２ａ間に補強鋼板３０を配置する。補強鋼板３０は前記実施形態よりも幅広であって、上下だけでなく、左右にもフランジ３０を形成したものであり、左右両側に開口されたボルト孔３０ｂを通じてボルトナット１６によりリブ材１２に連結する。また上下フランジ３０ａ間は同じくボルトナット１６を通じて上下の補強鋼板３０同士を連結する。また、スラブ６を挟む上下階同士は長尺ボルト１８により連結する。
【００２０】
なお、以上の補強鋼板３０は、図４の側面図で示す場合のようにリブ材１２の表側のみに連結しても良いが、図４の平面図に示すように、リブ材１２の裏側にも補強鋼板３０を接合することでさらに耐震性が増すことになる。また、補強鋼板３０の上下スラブ６との接合位置、及びリブ材１２の背面と梁１の接触位置にはグラウト注入により隙間を埋め、各部一体化を図ることが出来る。
【００２１】
従って、本実施形態は、既設の鉄筋コンクリート壁がない場所に新たに耐震補強壁を構築する場合に好適である。
【００２２】
【発明の効果】
以上の説明により明らかなように、本発明による耐震補強鋼板を用いた耐震補強構造によれば、補強鋼板及びその取付構造を十分な剛性を保てる形状とすることが出来、より高い耐震効果を得ることが出来、しかも、耐震補強対象建物内での執務・居住の妨げを極力抑えた施工が可能である。また、本発明方法によれば、耐震補強鋼板の配置位置が梁の面外であっても支持強度を高くすることが出来る。
【図面の簡単な説明】
【図１】本発明の第一実施形態による上面図、正面図及び側面図である。
【図２】同一部を拡大して示す斜視図である。
【図３】本発明の第二実施形態による上面図、正面図及び側面図である。
【図４】本発明の第三実施形態による上面図、正面図及び側面図である。
【図５】同一部を拡大して示す斜視図である。
【図６】従来の耐震鋼板の取付構造を示す側面図である。
【符号の説明】
１  梁
２  壁面
６  スラブ
１０，３０  耐震補強鋼板
１０ａ，３０ａ  フランジ
１２  リブ材
１２ａ  フランジ
１２ｂ  ウエッブ
２０  受け部材
１６  ボルトナット
１８  長尺ボルト
【図１】
0003804322.tif 000002
【図２】
0003804322.tif 000003
【図３】
0003804322.tif 000004
【図４】
0003804322.tif 000005
【図５】
0003804322.tif 000006
【図６】
0003804322.tif 000007